(57)【要約】      （修正有）【課題】梁を傷つけない為の身体移動補助装置を階上の床構造用合板へ固定する金物としての上円形板ボルトと下円形板ナットを提供する。【解決手段】異形板を上端に固着させた中心パイプを階上の床構造用合板Ｋの穴に入れて中心パイプを天井裏内に下げ、その中心パイプを入れる穴からの十字四方に位置する床構造用合板Ｋのボルト穴４個所に入れるボルトＢの上端に上円形板Ｕを固着させた形状を上円形板ボルトとし、それら上円形板ボルトの４個それぞれは床構造用合板Ｋの上面に載りボルト部分Ｂは床構造用合板Ｋの下側に出した。床構造用合板Ｋの下面に配置する下円形板Ｃの中心穴の下側に長尺ナットＮの上端を固着し、それら下円形板Ｃの下面と長尺ナットＮとにボルト穴ＥＡを開けた板片Ｅを固着させた形状を下円形板ナットとした。【選択図】図２
0003222430.tif 000002
【実用新案登録請求の範囲】
【請求項１】
異形板を上端に固着させた中心パイプを階上の床構造用合板の穴に入れて天井裏内に下げ、その中心パイプを入れる穴の十字四方に位置する床構造用合板に開ける4個所のボルト穴内に入れる各ボルトの上端に各上円形板を固着させた形状それぞれを上円形板ボルトとし、その上円形板ボルトの4個それぞれのボルト部分は床構造用合板の下側に出し、下円形板の下側に上端を固着させる長尺ナット内に上円形板ボルトのボルト部分をねじ入れて上円形板と下円形板とが床構造用合板を挟み止め、その下円形板の下面と長尺ナットとにボルト穴の開いた板片を固着し構成させた形状の下円形板ナットを4個製作し、各下円形板ナットの各板片のボルト穴それぞれと各横揺れ防止鋼材の上端部のボルト穴それぞれとを重ねてボルトで固定し斜め下に下げる横揺れ防止鋼材4本の下端部それぞれを中心パイプの下端部に固定し、そこで複数のピンを下面に固着し小ハンドルを上面に固着させて大きな内周を有するボルト回し工具の各ピン部分を上円形板に開ける複数のピン穴に入れて小ハンドルを回す事で上円形板ボルトのボルト部分が回り床構造用合板をきつく挟み止めできる上円形板ボルトと下円形板ナット。
【考案の詳細な説明】
【技術分野】
【０００１】
本考案は、身体移動補助装置を階上の床構造用合板に取り付けできる固定金物の分野。
【背景技術】
【０００２】
平成16年以後の木造住宅では梁の上に根太の使用が激減し、他方諸外国の住宅建築では梁の上に直接に床構造用合板が取り付けされている為、身体移動補助装置を天井裏内に配置する中心パイプの下端部に固定して十字四方斜め上に配置する各横揺れ防止鋼材の上端と階上の床構造用合板とを接続できる固定金物が必要になる。
【考案の概要】
【考案が解決しようとする課題】
【０００３】
天井裏内に配置する身体移動補助装置の中心パイプの下端部に固定して十字四方斜め上に配置する各横揺れ防止鋼材の上端を階上の床構造用合板に取り付けできる固定金物が必要になる。
【課題を解決するための手段】
【０００４】
上記目的お達成する為に、異形板の中心に上端を固着させた中心パイプを階上の床構造用合板の穴に入れて中心パイプを天井裏内に下げ、その中心パイプを入れる穴から十字四方の位置に開ける床構造用合板のボルト穴4個所それぞれに入れるボルトの上端に上円形板を固着させた形状を上円形板ボルトとし、それら上円形板ボルトの4個それぞれは床構造用合板の上面に載りボルト部分は下に出した。
【０００５】
下円形板の中心穴の下側に長尺ナットの上端を固着し、それら下円形板の下面と長尺ナットとにボルト穴を開けた板片を固着させた形状を下円形板ナットとした。
【０００６】
床構造用合板の下面に配置する下円形板ナットの長尺ナット内に上円形板ボルトのボルト部分をねじ入れる事で上円形板部分と下円形板部分とが床構造用合板を挟み止め、それら各下円形板ナットの各板片に開けた各ボルト穴と各横揺れ防止鋼材それぞれの上端部の各ボルト穴とを重ねてボルトで固定し斜めに下げる各横揺れ防止鋼材4本の下端部それぞれを中心パイプの下端部に固定し、そこで複数のピンを下面に固着し小ハンドルを上面に固着させて大きな内周を有するボルト回し工具の各ピン部分を上円形板に開ける複数のピン穴に入れて小ハンドルを回す事で上円形板ボルトのボルト部分は回り床構造用合板にきつく挟み止めできる上円形板ボルトと下円形板ナット。
【考案の効果】
【０００７】
天井裏内で中心パイプの下端部に固定し斜め四方に上げる4本の各横揺れ防止鋼材の上端部を床構造用合板に固定する事で梁に傷をつけないようにし、身体移動補助機に負荷する重さを中心パイプと4本の横揺れ防止鋼材とに分散する事で上円形板の4個所と異形板との広い範囲の床構造用合板に負荷を分散できた。
【図面の簡単な説明】
【０００８】
【図１】締め付け工具の平面図と断面図、上円形板ボルトと下円形板ナットとの断面図。
【図２】上円形板ボルトと下円形板ナットと横揺れ防止鋼材との平面図と断面図。
【図３】中心パイプの断面図と一部平面図。
【考案を実施するための形態】
【０００９】
異形板Rを上端に固着させた中心パイプJを階上の床構造用合板Kの穴に入れて中心パイプJを天井T裏内に下げ、その中心パイプJを入れる穴からの十字四方に位置する床構造用合板Kのボルト穴4個所に入れるボルトBの上端に上円形板Uを固着させた形状を上円形板ボルトとし、それら上円形板ボルトの4個それぞれは床構造用合板Kの上面に載りボルト部分Bは床構造用合板Kの下側に出した。
【００１０】
床構造用合板Kの下面に配置する下円形板Cの中心穴の下側に長尺ナットNの上端を固着し、それら下円形板Cの下面と長尺ナットNとにボルト穴EAを開けた板片Eを固着させた形状を下円形板ナットとした。
【００１１】
下円形板ナットの長尺ナットN内に上円形板ボルトのボルトB部分をねじ入れる事で上円形板U部分と下円形板C部分とが床構造用合板Kを挟み止め、それら各下円形板ナットの各板片Eに開けたボルト穴EAと各横揺れ防止鋼材Yそれぞれの上端部のボルト穴とを重ねてボルトBBで固定させて斜め四方に下げる各横揺れ防止鋼材Yの4本それぞれの下端部を中心パイプの下端部に固定し、そこで複数のピンPを下面に固着し小ハンドルHを上面に固着させて大きな内周HNを有するボルト回し工具Fの各ピンP部分を上円形板Uに開けた複数の各ピン穴UAに入れて小ハンドルHを回す事で上円形板ボルトのボルトB部分は回り床構造用合板Kにきつく挟み止めできる上円形板ボルトと下円形板ナット。
【符号の説明】
【００１２】
U      上円形板
B      上円形板ボルトのボルト部分
UA    上円形板に開けた複数のピン穴  
C      下円形板
N      下円形板ナットの長尺ナット部分
E      下円形板ナットのボルト穴を開けた板片部分
EA    板片のボルト穴
J      中心パイプ
R      中心パイプの上端部に固着させた異形板
RS    皿ねじ
Y      横揺れ防止鋼材  （平角棒又はアングル）
BB    横揺れ防止鋼材の上端部を固定するボルト
YP    中心パイプにボルトで固定するスライド部品
YPH  スライド部品に固着させた4枚のねじ穴の開いた板片
F      ボルト回し工具
H      ボルト回し工具のハンドル
P      ボルト回し工具に固着させた複数のピン
K      床構造用合板
KF    フローリング材
G      梁
T      天井板
Q      身体移動補助機の取り付け用のナット
S      隙間隠しの部品
【図１】
0003222430.tif 000003
【図２】
0003222430.tif 000004
【図３】
0003222430.tif 000005